(57)【要約】【課題】  情報処理装置の表示装置の視野角及び照明装置の出力を、使用状況や使用者の希望に応じて容易に切り替えることができる利便性の高い情報処理装置を提供すること【解決手段】  液晶表示装置４と、この液晶表示装置４を背面から照光する照明装置５と、を備えた情報処理装置であって、液晶表示装置４と、照明装置５と、の間に介挿され、照明装置５からの光の透過状態を可変する透過状態可変手段６を備えると共に、照明装置５の点灯状態時に透過状態可変手段６を制御して、液晶表示装置４の視野角を変更する視野角制御手段７を備えた。【選択図】図２
2008046387.tif 000002
【特許請求の範囲】
【請求項１】
液晶表示装置と、この液晶表示装置を背面から照光する照明装置と、を備えた情報処理装置であって、
前記液晶表示装置と、前記照明装置と、の間に介挿され、前記照明装置からの光の透過状態を可変する透過状態可変手段を備えると共に、
前記照明装置の点灯状態時に前記透過状態可変手段を制御して、前記液晶表示装置の視野角を変更する視野角制御手段を備えた、ことを特徴とする情報処理装置。
【請求項２】
前記視野角制御手段は、前記透過状態可変手段を前記照明装置からの光を拡散する状態に制御して、前記液晶表示装置の視野角を広視野角とする、ことを特徴とする請求項１記載の情報処理装置。
【請求項３】
前記視野角制御手段は、前記透過状態可変手段を、前記照明装置からの光を所定の一方向に透過する状態に制御して、前記液晶表示装置の視野角を狭視野角とする、ことを特徴とする請求項１又は２記載の情報処理装置。
【請求項４】
前記照明装置の光度を制御する光度制御手段を備えた、ことを特徴とする請求項１，２又は３記載の情報処理装置。
【請求項５】
前記光度制御手段が、前記視野角制御手段による前記液晶表示装置の視野角の変更時に、当該液晶表示装置の変更前後の視野角の状態に基づいて前記照明装置の光度を制御する、ことを特徴とする請求項４記載の情報処理装置。
【請求項６】
前記光度制御手段は、前記視野角制御手段によって、前記液晶表示装置の視野角が、広視野角から狭視野角に変更された場合には前記照明装置の光度を下げ、狭視野角から広視野角に変更された場合には光度を上げるように制御する、ことを特徴とする請求項５記載の情報処理装置。
【請求項７】
前記光度制御手段は、前記視野角制御手段による前記液晶表示装置の視野角の変更時に、前記液晶表示装置の正面輝度が視野角の変更前後で等しくなるように前記照明装置の光度を制御する、ことを特徴とする請求項６記載の情報処理装置。
【請求項８】
前記視野角制御手段は、前記液晶表示装置の視野角を、当該液晶表示装置の表示内容に応じて、予め設定された視野角に変更する、ことを特徴とする請求項１，２，３，４，５，６又は７記載の情報処理装置。
【請求項９】
前記視野角制御手段は、入力される視野角設定指令に応じて前記液晶表示装置の視野角を変更する、ことを特徴とする請求項１，２，３，４，５，６，７又は８記載の情報処理装置。
【請求項１０】
前記透過状態可変手段は、透過状態を複数段階に可変可能である、ことを特徴とする請求項１，２，３，４，５，６，７，８又は９記載の情報処理装置。
【請求項１１】
前記照明装置の光学特性が狭視野角ではない場合に、当該照明装置と、前記透過状態可変手段との間に、前記照明装置からの光を所定の一方向に透過させる狭視野角化フィルムを介挿した、ことを特徴とする請求項１，２，３，４，５，６，７，８，９又は１０記載の情報処理装置。
【請求項１２】
液晶表示装置と、この液晶表示装置を背面から照光する照明装置と、前記液晶表示装置と前記照明装置との間に介挿され前記照明装置からの光の透過状態を可変する透過状態可変手段と、を備えた情報処理装置にて、前記液晶表示装置の視野角を制御する方法であって、
前記照明装置の点灯状態時に前記透過状態可変手段を制御して、前記液晶表示装置の視野角を変更する、
ことを特徴とする液晶表示装置の視野角制御方法。
【請求項１３】
前記透過状態可変手段を、前記照明装置からの光を拡散する状態に制御して、前記液晶表示装置の視野角を広視野角とする、ことを特徴とする請求項１２記載の液晶表示装置の視野角制御方法。
【請求項１４】
前記透過状態可変手段を、前記照明装置からの光を所定の一方向に透過する状態に制御して、前記液晶表示装置の視野角を狭視野角とする、ことを特徴とする請求項１２又は１３記載の液晶表示装置の視野角制御方法。
【請求項１５】
前記液晶表示装置の視野角の変更時に、当該液晶表示装置の変更前後の視野角の状態に基づいて、前記照明装置の光度を制御する、ことを特徴とする請求項１２、１３又は１４記載の液晶表示装置の視野角制御方法。
【請求項１６】
液晶表示装置と、この液晶表示装置を背面から照光する照明装置と、前記液晶表示装置と前記照明装置との間に介挿され前記照明装置からの光の透過状態を可変する透過状態可変手段と、を備えた情報処理装置に、
前記照明装置の点灯状態時に前記透過状態可変手段を制御して、前記液晶表示装置の視野角を変更する視野角制御手段、
を実現させるためのプログラム。
【請求項１７】
前記情報処理装置に、
前記視野角制御手段による前記液晶表示装置の視野角の変更時に、当該液晶表示装置の変更前後の視野角の状態に基づいて、前記照明装置の光度を制御する光度制御手段、
を実現させるための請求項１６記載のプログラム。
【発明の詳細な説明】
【技術分野】
【０００１】
本発明は、情報処理装置にかかり、特に、液晶表示装置を有する情報処理装置に関する。
【背景技術】
【０００２】
情報処理装置を操作する際に、情報処理装置の表示装置に表示された情報等が、第三者に見られたくない内容である場合もあるが、人が密集した状況の中では、周囲の第三者に覗き見されてしまう可能性があった。この対策としては、従来より、表示装置の視野角を狭くする覗き見防止用のフィルムを、表示装置上に貼り付けるなどの方法が用いられている。
【０００３】
【特許文献１】特開平８−７６１０４号公報
【特許文献２】特開平１１−８４３５７号公報
【発明の開示】
【発明が解決しようとする課題】
【０００４】
しかしながら、上述したように、表示装置の視野角を狭くする覗き見防止用のフィルムを表示装置上に貼り付ける方法は、表示した画面を周囲に見せたい場合があっても、視野角が狭くなっているため、周囲からは画面を見ることができない、という問題が生じていた。このような場合に、覗き見防止用のフィルムを取り外し可能とする方法もあるが、取り外しの煩わしさや取り外しにおける情報処理装置の破損、さらには取り外したフィルムの紛失、という問題が生じる。
【０００５】
また、反射型液晶表示パネルと透過型液晶表示パネルと、を切り替えることができる特許文献１に示すような構造がある。この特許文献１の構造は、反射率が高く透過率が低い状態と、反射率が低く透過率が高い状態と、を切り替えることができる光学的シャッターが、液晶表示セルとバックライトユニットの間に設けられている。そして、光学的シャッターとバックライトユニットは、モード切り替えスイッチに接続されており、このモード切り替えスイッチに連動してバックライトユニットの消点灯と光学的シャッターの切り替えが行われる。具体的には、バックライトユニットが消灯の場合には反射型液晶表示パネルとして使用され、バックライトユニットが点灯の場合には透過型液晶表示パネルとして使用される。
【０００６】
ここで、上記特許文献１に示す構造は、反射型と透過型を兼用した液晶表示パネルであり、従来の半透過型液晶パネルよりも表示画面の輝度を高めたものである。このため、表示装置の視野角を狭くしたい場合には、依然として、上記覗き見防止用のフィルムを貼り付ける方法などで対応しなければならない、といった問題が生じる。
【０００７】
また、表示画面の視野角を切り替えることができる構造としては、特許文献２に示すような構造が用いられている。具体的には、バックライトユニットと液晶表示パネルの間に第１のレンズシートが設けられており、第２のレンズシートがバックライトユニットの背部に配置されている。そして、第１のレンズシートと第２のレンズシートは帯状体に連結しており、バックライトユニットに設けられたローラを、モータで回すことで第１のレンズシートと第２のレンズシートを切り替えている。この構成では、第１のレンズシートと第２のレンズシートは、三角プリズムの頂角の角度が異なる。具体的には、狭視野角に用いる一方のレンズシートは、広視野角に用いる他方のレンズシートよりも三角プリズムの頂角が大きく形成されており、集光度が極端に上げられている。これにより、広視野角から狭視野角に切り替えることで、正面輝度に対して斜め方向からの輝度が低くなるため、狭視野角が実現される。
【０００８】
ここで、上記特許文献２に示す表示装置の構造は、レンズシートの集光特性によって、つまり、レンズシートの三角プリズムの頂角の角度の違いによって、表示装置の視野角の切り替えを行っているものである。このため、レンズシートの集光性を変更する場合には、別の集光特性を持ったレンズシートに切り替えるための手段を設けるか、あるいは、レンズシートの三角プリズムの頂角を変更する手段を設けたりする必要がある。このため、レンズシートの集光特性を段階的に変更しようとした場合に、構造の複雑化や煩わしさといった問題が生じてしまう。
【０００９】
このため、本発明では、上記従来例の有する不都合を改善し、特に、情報処理装置の表示装置の視野角及び照明装置の出力を、使用状況や使用者の希望に応じて容易に切り替えることができる利便性の高い情報処理装置を提供すること、をその目的とする。
【課題を解決するための手段】
【００１０】
そこで、本発明の一形態である情報処理装置は、液晶表示装置と、この液晶表示装置を背面から照光する照明装置と、を備えた情報処理装置であって、液晶表示装置と、照明装置と、の間に介挿され、照明装置からの光の透過状態を可変する透過状態可変手段を備えると共に、照明装置の点灯状態時に透過状態可変手段を制御して、液晶表示装置の視野角を変更する視野角制御手段を備えた、ことを特徴としている。かかる構成によると、視野角制御手段によって、透過状態可変手段の透過状態を可変させることができる。これにより、照明装置から液晶表示装置に入射される光の量や方向などを制御して、視野角を変更することができる。したがって、表示装置に表示される内容を周囲に見られないようにしたい場合に、表示装置上に狭視野角化フィルムなどを貼り付けることなく、表示装置の視野角を狭くすることができる。また、視野角を広くしたい場合でも、狭視野角化フィルムの取り外しなどせずに変更することができる。そして、照明装置が点灯している状態で視野角を変更しているため、変更の前後で、輝度が高く鮮明な表示画面を得ることができる。
【００１１】
また、視野角制御手段は、透過状態可変手段を照明装置からの光を拡散する状態に制御して、液晶表示装置の視野角を広視野角とする、ことを特徴としている。かかる構成によると、透過状態可変手段が、照明装置からの光を拡散して透過させるため、表示画面を周囲から見た場合でも、鮮明な表示画面を得ることができる。また、外部からの光を反射させて広視野角とするよりも、表示画面の輝度を高くすることができる。
【００１２】
また、視野角制御手段は、透過状態可変手段を、照明装置からの光を所定の一方向に透過する状態に制御して、液晶表示装置の視野角を狭視野角とする、ことを特徴としている。かかる構成によると、透過状態可変手段が、照明装置からの光を所定の一方向に透過させるため、かかる透過方向の表示画面の輝度は高くなり、その他の方向の輝度は低くなる。これにより、視野角を狭くすることができる。
【００１３】
また、照明装置の光度を制御する光度制御手段を備えた、ことを特徴としている。これにより、透過状態可変手段に透過させる光度を、照明装置で制御することができる。したがって、視野角を変更して表示画面が暗くなった場合でも対応できる。
【００１４】
また、光度制御手段が、視野角制御手段による液晶表示装置の視野角の変更時に、液晶表示装置の変更前後の視野角の状態に基づいて照明装置の光度を制御する、ことを特徴としている。これにより、光度制御手段が、視野角変更前後の液晶表示装置の状態に基づいて、照明装置の光度を制御するため、視野角変更前後で生じる液晶表示装置の輝度の変化を抑制することができる。
【００１５】
そして、光度制御手段は、視野角制御手段によって、液晶表示装置の視野角が、広視野角から狭視野角に変更された場合には前記照明装置の光度を下げ、狭視野角から広視野角に変更された場合には光度を上げるように制御する、ことを特徴としている。かかる構成によると、視野角変更前後の液晶表示装置の輝度の変化を少なくできる。したがって、使用者は、表示画面が見やすくなり、情報処理装置操作時における目の疲労を、軽減することができる。
【００１６】
また、光度制御手段は、視野角制御手段による液晶表示装置の視野角の変更時に、液晶表示装置の正面輝度が視野角の変更前後で等しくなるように照明装置の光度を制御する、ことを特徴としている。これにより、視野角の変更前後で、液晶表示装置の正面輝度が変化しないように照明装置の光度が調整される。したがって、表示画面がより見やすくなり、使用者の目の疲労を、軽減することができる。
【００１７】
また、視野角制御手段は、液晶表示装置の視野角を、液晶表示装置の表示内容に応じて、予め設定された視野角に変更する、ことを特徴としている。これにより、使用者の使用状況に応じて予め設定された視野角に自動的に変更される。したがって、液晶表示装置の表示内容ごとに手動で視野角を変更するといった煩わしさがなくなる。
【００１８】
また、視野角制御手段は、入力される視野角設定指令に応じて液晶表示装置の視野角を変更する、ことを特徴としている。これにより、使用者が希望する時に、迅速に視野角の変更ができる。
【００１９】
そして、透過状態可変手段は、透過状態を複数の段階に可変可能である、ことを特徴としている。これにより、透過状態可変手段は、透過状態を段階的に可変することができるため、使用者の好みに応じた視野角に変更することができる。
【００２０】
そして、照明装置の光学特性が狭視野角ではない場合に、照明装置と、透過状態可変手段との間に、照明装置からの光を所定の一方向に透過させる狭視野角フィルムを介挿した、ことを特徴としている。これにより、上述したように、狭視野角と広視野角とを切り替えた場合に、照明装置の光が狭視野角の特性でないものであって、狭視野角が不十分であっても、狭視野角化フィルムを介挿することによって、より有効に狭視野角にすることができる。
【００２１】
また、本発明の他の形態である視野角制御方法は、液晶表示装置と、この液晶表示装置を背面から照光する照明装置と、液晶表示装置と照明装置との間に介挿され照明装置からの光の透過状態を可変する透過状態可変手段と、を備えた情報処理装置にて、液晶表示装置の視野角を制御する方法であって、照明装置の点灯状態時に透過状態可変手段を制御して、液晶表示装置の視野角を変更する、ことを特徴としている。
【００２２】
そして、透過状態可変手段を、照明装置からの光を拡散する状態に制御して、液晶表示装置の視野角を広視野角とする、ことを特徴としている。また、透過状態可変手段を、照明装置からの光を所定の一方向に透過する状態に制御して、液晶表示装置の視野角を狭視野角とする、ことを特徴としている。このとき、液晶表示装置の視野角の変更時に、液晶表示装置の変更前後の視野角の状態に基づいて、照明装置の光度を制御する、ことを特徴としている。
【００２３】
さらに、本発明の他の形態である、液晶表示装置の視野角を変更する視野角制御手段を実現させるためのプログラムは、液晶表示装置と、この液晶表示装置を背面から照光する照明装置と、液晶表示装置と照明装置との間に介挿され照明装置からの光の透過状態を可変する透過状態可変手段と、を備えた情報処理装置に、照明装置の点灯状態時に透過状態可変手段を制御して、液晶表示装置の視野角を変更する視野角制御手段、を実現する、ことを特徴としている。
【００２４】
また、情報処理装置に、視野角制御手段による液晶表示装置の視野角の変更時に、液晶表示装置の変更前後の視野角の状態に基づいて、照明装置の光度を制御する光度制御手段、を実現する、ことを特徴としている。
【００２５】
なお、上記構成の方法、プログラムの発明であっても、上述した情報処理装置と同様に作用するため、上記本発明の目的を達成することができる。
【発明の効果】
【００２６】
本発明は、以上のように構成され機能するので、これによると、透過状態可変手段と照明装置とによって表示装置の視野角を変更することができる。したがって、表示装置上に覗き見防止用のフィルムなどを貼り付けずに視野角を変更することができ、使用者は、使用状況に応じた視野角を選択することができる、という従来にない優れた効果を有する。
【発明を実施するための最良の形態】
【００２７】
本発明は、視野角制御手段が透過状態可変手段を制御することで液晶表示装置の視野角を変更し、変更の前後で、輝度が高く鮮明な表示画面を表示させる、ことに特徴を有する。以下、具体的な構成及び作用を、実施例を参照して説明する。
【００２８】
なお、以下では、本発明である情報処理装置として、上記特徴を有する携帯電話を例に挙げて説明する。但し、これは一例であって、上記特徴を有する他の情報処理装置（例えば、ＰＤＡやノートパソコン）であってもよい。
【００２９】
また、透過状態可変手段として、以下では、高分子分散液晶を用いた場合を説明するが、高分子分散液晶を用いた場合に限定されない。視野角制御手段に制御され、光の透過状態を可変可能なものであればよい。
【００３０】
また、以下では、視野角制御手段及び光度制御手段として、ＣＰＵなどのコントローラを用いた場合を説明するが、ＣＰＵなどの電子的制御の場合に限られず、機械により各制御器を実現してもよい。
【実施例１】
【００３１】
本発明の第１の実施例を、図１乃至図８を参照して説明する。図１は、本実施例における携帯電話の構成を示す斜視図である。図２は、携帯電話の構成を示すブロック図である。図３は、コントローラの構成を示す機能ブロック図である。図４は、高分子分散液晶の構成を示した拡大断面図である。図５は、表示装置が広視野角状態時における高分子分散液晶の状態を示した状態図である。図６は、表示装置が狭視野角状態時における高分子分散液晶の状態を示した状態図である。図７乃至図８は、携帯電話の動作を示すフローチャートである。
【００３２】
［構成］
図１に示すように、本発明における携帯電話１（情報処理装置）は、例えば、折り畳み可能な携帯電話である。そして、折り畳まれた時に内側に位置する面に、文字や画像などを表示する表示装置２と、文字の入力や各機能の設定を行う操作部３と、を備えている。
【００３３】
操作部３は、テンキーなどであり、携帯電話１が折り畳まれた時に内側に位置する面に装備されている。この操作部３は、後述するコントローラ７に指令を入力するものであり、文字の入力や各機能の設定変更などをするものである。
【００３４】
表示装置２は、液晶表示装置４と、照明装置５と、高分子分散液晶６と、を備え、コントローラとの協働により、種々のデータを、狭視野角又は広視野角で表示可能なように構成されている。具体的には、液晶表示装置４の裏側（表示面と反対側）に、照明装置５が装備されている。そして、液晶表示装置４と、照明装置５と、の間に高分子分散液晶６が配置されている。また、液晶表示装置４、照明装置５及び高分子分散液晶６はコントローラ７によって制御されており、このコントローラ７からの指令に応じてそれぞれが機能する。なお、液晶表示装置４、照明装置５及び高分子分散液晶６の機能については、以下に詳述する。
【００３５】
液晶表示装置４は、例えば、液晶を利用して文字や画像などを表示する透過型液晶ディスプレイである。また、液晶表示装置４の裏側に照明装置５が装備され、液晶表示装置４と照明装置５との間には高分子分散液晶６が配置されている。そして、照明装置５から照射された光が、高分子分散液晶６を透過して液晶表示装置４に入射される。このとき、後述する高分子分散液晶６の透明電極９、の電圧印加状態によって、液晶表示装置４に入射される光の方向や強さが変化する。これにより、液晶表示装置４の視野角及び輝度が変化することになる。また、液晶表示装置４は、後述するコントローラ７内部の液晶表示処理部７１によって制御されており、この液晶表示処理部７１からの指令に応じた表示内容を液晶表示装置４に表示する。
【００３６】
照明装置５は、例えば、発光ダイオードである。そして、正面から見ると明るいが斜めから見ると暗い狭視野角特性を持っている。この照明装置５は、高分子分散液晶６を背面側（図２では下方）から照光しており、照明装置５から照射された光は、高分子分散液晶６を透過して液晶表示装置４に入射する。このとき、後述する高分子分散液晶６の透明電極９の電圧印加状態によって、高分子分散液晶６を透過した光の方向や強さが変化する。また、照明装置５は、後述するコントローラ７内部の照明制御処理部７３によって制御されている。そして、照明制御処理部７３からの指令に応じて照明装置５の消点灯や照明の出力調整をする。ここで、本実施例では、照明装置５が狭視野角特性を持っているものとして説明したが、広視野角特性の照明装置であってもよい。なお、広視野角特性の照明装置を用いた場合の具体例を、実施例２で説明する。
【００３７】
高分子分散液晶６（透過状態可変手段）は、図４に示すように、対向する２枚の透明フィルム８の内側に透明電極９がそれぞれ形成されている。そして、この透明電極９の間に、高分子ポリマー１０が充填されている。また、高分子分散液晶６は、液晶表示装置４と、照明装置５と、の間に配置されている。そして、照明装置５から照射された光を高分子分散液晶６が透過させる。このとき、高分子分散液晶６は、後述するコントローラ７内部の視野角制御処理部７２によって制御されており、視野角制御処理部７２からの指令に応じて透明電極９に印加する電圧を変化させる。ここで、図５に示すように、透明電極９に電圧を印加していない状態では、透明電極９間の高分子ポリマー１０が任意の方向を向いているため、白濁した状態となっている。この白濁した状態の時には、図５の矢印に示すように、光を拡散して透過するため、液晶表示装置２の視野角は広くなり、斜め方向から見た場合でも、輝度が高い鮮明な画面を見ることができる。また、図６に示すように、透明電極９に電圧を印加させた状態では、透明電極９間の高分子ポリマー１０が一定の方向を向くため、高分子分散液晶６は透明な状態となる。この透明な状態では、図６の矢印に示すように、光の方向や向きは変わらずに、照明装置５の狭視野角特性のまま透過するため、液晶表示装置２の視野角は狭くなり、正面から見た場合の輝度は広視野角の輝度よりも高くなる。
【００３８】
コントローラ７（視野角制御手段、光度制御手段）は、例えば、携帯電話１を制御するＣＰＵなどであって、携帯電話１内部に備えられている。そして、コントローラ７には、プログラムを組み込まれることによって、液晶表示処理部７１と、視野角制御処理部７２と、照明制御処理部７３と、が構築されている。また、コントローラ７は、操作部３と接続しており、この操作部３の操作に基づいて液晶表示処理部７１、視野角制御処理部７２及び照明制御処理部７３に指令を送る。なお、本実施例では、コントローラ７が携帯機器１内部に備えられている場合を説明したが、これは一例であって、携帯機器１内部の場合に限定されず、表示装置２内部などに備えられていてもよい。
【００３９】
液晶表示処理部７１は、表示内容の変更など、表示画面を制御するものである。そして、使用者の操作部３の操作によって、液晶表示装置４の表示画面を、例えば、待受け画面からメール画面に切り替えるような場合に、操作部３に入力された指令を液晶表示処理部７１が受けとり、この指令に基づいて、液晶表示処理部７１は、液晶表示装置４に表示画面をメール画面に切り替えるように指令を送る。
【００４０】
視野角制御処理部７２（視野角制御手段）は、高分子分散液晶６の透過状態を制御するものである。そして、視野角制御処理部７２は、切り替え前の表示画面が、狭視野角に設定されているか、あるいは広視野角に設定されているかを、メモリ部（図示せず）に照会する。また、切り替え後の表示画面が、狭視野角と広視野角のどちらに設定されているかも、メモリ部に照会する。なお、このメモリ部は、使用者が設定した情報が記憶されているものである。そして、メモリ部に照会した結果、切り替え前の表示画面が狭視野角であって、切り替え後の表示画面が広視野角であった場合には、視野角制御処理部７２から高分子分散液晶６に電圧を切るように指令が送られる。そして、切り替え前の表示画面が広視野角であって、切り替え後の表示画面が狭視野角であった場合には、視野角制御処理部７２から高分子分散液晶６に電圧を印加させるように指令が送られる。これにより、高分子分散液晶６を電子的に制御することができる。なお、視野角制御処理部７２は、視野角の設定状況に関わらず、使用者の操作によって視野角を切り替えることもできる。このとき、使用者の操作により操作部３から送られてくる視野角切り替えの指令を受けて、視野角制御処理部７２は、高分子分散液晶６に電圧を印加する指令、あるいは、電圧を切る指令を送る。
【００４１】
照明制御処理部７３（光度制御手段）は、照明装置５を制御するものである。そして、使用者が操作部３を操作した時に、あるいは、視野角制御処理部７２から高分子分散液晶６に視野角切り替えの指令が送られ視野角が変更される時に、照明制御処理部７３から照明装置５に照明点灯の指令が送られる。そして、一定時間、操作部３の操作がなされない場合は、照明制御処理部７３から照明装置５に照明消灯の指令が送られる。
【００４２】
なお、視野角制御処理部７２が、透明電極９間に与える電圧を制御して、高分子ポリマー１０の配向方向を段階的に変化させることで、上記構成による視野角の変更を、段階的に変化させることもできる。具体的には、高分子ポリマー１０の配向方向を狭視野角と広視野角との間で、例えば、５段階に分けられ、視野角の段階的な変更を操作部３の操作によって変更することができる。これにより、簡易な方法で視野角を変更することができ、情報処理装置の軽量化や表示装置の構造を薄くできる。
【００４３】
［動作］
次に、上記構成の携帯電話１の動作を、図７を参照して説明する。まず、携帯電話１を起動する（ステップＳ１）。このとき、コントローラ７から液晶表示装置４、照明装置５及び高分子分散液晶６に指令が送られる。そして、この指令に基づいて、照明装置５からは光が照光され、液晶表示装置４には待ち受け画面が表示される（ステップＳ２）。この待受け画面時は、コントローラ７の視野角制御処理部７２から高分子分散液晶６に指令はなく、透明電極９に電圧は印加されない（ステップＳ３）。したがって、上述したように、高分子ポリマー１０は任意の方向を向いており（図５を参照）、照明装置５から照光された光は、拡散して透過するため表示装置２の視野角は広視野角となる（ステップＳ４）。
【００４４】
続いて、使用者は操作部３を操作して、表示内容をメール画面に変更する（ステップＳ５で肯定判断）。そして、設定情報を読み出して、コントローラ７から液晶表示装置４、照明装置５及び高分子分散液晶６に指令が送られる。ここで、液晶表示装置４は液晶表示処理部７１からの指令を受けて、表示内容をメール画面に変更する。なお、このメール画面の表示状態は、使用者によって狭視野角に設定されており、使用者の設定した情報は、携帯電話１内部のメモリ部などに記憶されている（図示せず）。そして、メール画面の変更と同時に、視野角制御処理部７２から高分子分散液晶６に指令が送られ、透明電極９に電圧が印加される（ステップＳ６）。このとき、上述したように、高分子ポリマー１０が一定の方向を向くため（図６を参照）、高分子分散液晶６は透明な状態となり、表示装置２の視野角は狭視野角となる（ステップＳ７）。そして、メール画面での操作が終了すると、コントローラ７から液晶表示装置４、照明装置５及び高分子分散液晶６に再び指令が送られ、表示画面は待受け画面に戻る（ステップＳ８にて肯定判断）。
【００４５】
なお、上記では、待受け画面の視野角を広視野角であるものとして説明したが、これは狭視野角であってもよく、使用者の好みに応じて設定を変更することができる。また、メール画面を狭視野角に設定しているものとして説明したが、メール画面に限られず、視野角が狭視野角に設定されている他の表示内容であっても構わない。
【００４６】
次に、使用者が任意に視野角の変更を行うときの動作を、図８を参照して説明する。まず、携帯電話１を起動する。すると、コントローラ７から液晶表示装置４、照明装置５及び高分子分散液晶６に指令が送られ、起動時の表示内容が表示される。ここでは、起動時の視野角が広視野角であるものとして説明する（ステップＳ１１）。次に、使用者が操作部３を操作して視野角を広視野角から狭視野角に変更する（ステップＳ１２にて肯定判断）。すると、視野角制御処理部７２から高分子分散液晶６に、視野角変更の指令が送られ、この指令を受けた高分子分散液晶６は、透明電極９に電圧を印加させる（ステップＳ１３）。そして、透明電極９に電圧を印加させることによって、高分子ポリマー１０が一定の方向を向くため、高分子分散液晶６は透明な状態となり、表示装置２の視野角は狭視野角となる（ステップＳ１４）。
【００４７】
続いて、使用者が操作部３を操作し、視野角を狭視野角から広視野角に変更する（ステップＳ１５にて肯定判断）。このとき、視野角制御処理部７２から高分子分散液晶６に再び視野角変更の指令が送られ、この指令を受けて、高分子分散液晶６は透明電極９の電圧を切る（ステップＳ１６）。透明電極９の電圧を切ることにより、高分子ポリマー１０は任意の方向を向くため、透過する光を拡散させる状態となり、表示装置２の視野角は広視野角に戻る。これにより、予め使用者によって表示画面の視野角が設定されていても、状況に応じて視野角を使い分けることができる。
【実施例２】
【００４８】
次に、本発明の第２の実施例を、図９乃至図１０を参照して説明する。図９は、本実施例における携帯電話の構成を示すブロック図である。図１０は、表示装置における照明装置からの光の透過状態を示した状態図である。本実施例では、上述した実施例１における携帯電話１とほぼ同様の構成を採っているが、高分子分散液晶と、照明装置と、の間に狭視野角化フィルム１１を介挿した点が異なる。
【００４９】
本発明における携帯電話２１は、例えば、折り畳み可能な携帯電話である。そして、折り畳まれた時に内側に位置する面に、文字や画像などを表示する表示装置２と、文字の入力や各機能の設定を行う操作部３と、を備えている。この表示装置２は、図９に示すように、液晶表示装置４と、照明装置５と、高分子分散液晶６と、狭視野角化フィルム１１と、を備えている。また、携帯電話２１内部には、コントローラ７が備えられており、液晶表示装置４、照明装置５及び高分子分散液晶６を制御している。以下、図９乃至図１０を参照して、実施例１と異なる構成について詳述する。
【００５０】
狭視野角化フィルム１１は、照明装置５からの光を所定の一方向に透過させるフィルムである。この狭視野角化フィルム１１は、図９に示すように、高分子分散液晶６と、照明装置５との間に介挿されている。また、狭視野角化フィルム１１は、図１０に示すように、照明装置５が任意の方向に光を照射する広視野角特性である場合に用いられる。そして、図１０の矢印のように、照明装置５から照射された光は、狭視野角化フィルム１１を透過する時に、光の方向や向きを所定の一方向に変えて透過する。これにより、照明装置５の光学特性が広視野角のものであって、上述したように、視野角を切り替えた時に十分な狭視野角を得られない場合であっても、有効に一方向に透過させ、狭視野角にすることができる。
【実施例３】
【００５１】
次に、本発明の第３の実施例を、図１１乃至図１３を参照して説明する。図１１は、携帯電話の構成を示すブロック図である。図１１乃至図１３は、視野角切り替えスイッチ１２と高分子分散液晶との状態を示した状態図である。本実施例では、上述した実施例１における携帯電話１とほぼ同様の構成を採っているが、視野角切り替えスイッチ１２を携帯電話３１に設けた点が異なる。
【００５２】
本発明における携帯電話３１は、例えば、折り畳み可能な携帯電話である。そして、折り畳まれた時に内側に位置する面に、文字や画像などを表示する表示装置２と、文字の入力や各機能の設定を行う操作部３と、視野角を切り替える視野角切り替えスイッチ１２と、を備えている。以下、図１１乃至図１３を参照して、実施例１と異なる構成について詳述する。
【００５３】
視野角切り替えスイッチ１２（視野角制御手段）は、例えば、携帯電話３１の側面に設けられており、狭視野角と、広視野角と、を切り替えるスライド式のスイッチである。そして、このスライド式スイッチは、一方にスライドさせると表示画面が狭視野角となり、他方にスライドさせると広視野角となる。また、図１１に示すように、視野角切り替えスイッチ１２は、高分子分散液晶４と接続されている。そして、視野角切り替えスイッチ１２が広視野角に設定されている時は、図１２に示すように、高分子分散液晶４の透明電極９には電圧が印加しておらず、高分子ポリマーは任意の方向を向いているため、白濁した状態となっている。そして、視野角切り替えスイッチ１２が狭視野角に設定されている時は、図１３に示すように、高分子分散液晶４の透明電極９に電圧を印加させており、高分子ポリマー１０が一定の方向を向くため、高分子分散液晶６は透明な状態となる。
【実施例４】
【００５４】
次に、本発明の第４の実施例を、図１４を参照して説明する。図１４は、携帯電話の動作を示すフローチャートである。本実施例では、上述した実施例１における携帯電話１とほぼ同様の構成を採っているが、視野角の変更前後で表示装置２の正面輝度が等しくなるように照明装置５を制御した点が異なる。以下、実施例１と異なる構成について詳述する。
【００５５】
照明制御処理部７３は、照明装置５を制御するものである。そして、切り替え前の表示画面が、狭視野角に設定されているか、あるいは広視野角に設定されているかを、メモリ部（図示せず）に照会する。また、切り替え後の表示画面が、狭視野角と広視野角のどちらに設定されているかも、メモリ部に照会する。そして、メモリ部に照会した結果、切り替え前の表示画面が狭視野角であって、切り替え後の表示画面が広視野角であった場合には、照明制御処理部７３から照明装置５に出力を上げるように指令が送られる。そして、切り替え前の表示画面が広視野角であって、切り替え後の表示画面が狭視野角であった場合には、照明制御処理部７３から照明装置５に出力を下げるように指令が送られる。
【００５６】
次に、本実施例における携帯電話の動作を、図１４を参照して説明する。まず、携帯電話を起動する（ステップＳ２１）。このとき、照明制御処理部７３から照明装置５に照明点灯の指令が送られ、この指令に基づいて照明装置５が点灯する（ステップＳ２２）。なお、本実施例では、このときの照明装置５の出力を標準出力とし、また、起動時の視野角が広視野角であるものとして説明する（ステップＳ２３）。
【００５７】
続いて、使用者が操作部３を操作して、視野角を狭視野角に変更する（ステップＳ２４にて肯定判断）。すると、照明制御処理部７３から照明装置５に出力変更の指令が送られる。そして、この指令を受けた照明装置５は、表示装置２の正面輝度が変更前後で等しくなる値に出力を下げて点灯させる（ステップＳ２５）。このとき、視野角制御処理部７２から高分子分散液晶６に視野角変更の指令が送られ、上述した実施例１同様、表示装置２の視野角が狭視野角に変更される（ステップＳ２６）。
【００５８】
次に、使用者が操作部３を操作して、視野角を広視野角に変更する（ステップＳ２７にて肯定判断）。すると、照明制御処理部７３から照明装置５に出力変更の指令が送られ、この指令を受けた照明装置５は、標準出力（広視野角時の出力）つまり、狭視野角時の出力（ステップＳ２５）よりも高い出力に変更して点灯させる。これにより、視野角の変更による表示装置２の正面輝度の変化を抑制することができ、使用者の目の疲労を軽減することができる。
【００５９】
なお、照明制御処理部７３による照明装置５の制御は、上記制御に限定されず、例えば、狭視野角状態の時の表示装置２の輝度と、広視野角状態の時の輝度を、使用者の好みで予め設定しておき、この設定に基づいて、視野角の切り替え時に照明装置５の出力を切り替えるように制御してもよい。
【産業上の利用可能性】
【００６０】
本発明は、液晶表示装置を有する情報処理装置などに利用することができ、産業上の利用可能性を有する。
【図面の簡単な説明】
【００６１】
【図１】実施例１における携帯電話の構成を示す斜視図である。
【図２】携帯電話の構成を示すブロック図である。
【図３】コントローラの構成を示す機能ブロック図である。
【図４】高分子分散液晶の構成を示した拡大断面図である。
【図５】表示装置が広視野角時の高分子分散液晶の状態を示した状態図である。
【図６】表示装置が狭視野角時の高分子分散液晶の状態を示した状態図である。
【図７】実施例１における携帯電話の動作を示すフローチャートである。
【図８】実施例１における携帯電話の動作を示すフローチャートである。
【図９】実施例２における携帯電話の構成を示すブロック図である。
【図１０】表示装置における照明装置からの光の透過状態を示した状態図である。
【図１１】実施例３における携帯電話の構成を示すブロック図である。
【図１２】視野角切り替えスイッチが広視野角時の高分子分散液晶の状態を示した状態図である。
【図１３】視野角切り替えスイッチが狭視野角時の高分子分散液晶の状態を示した状態図である。
【図１４】実施例４における携帯電話の動作を示すフローチャートである。
【符号の説明】
【００６２】
１，２１，３１  携帯電話（情報処理装置）
２  表示装置
３  操作部
４  液晶表示装置
５  照明装置
６  高分子分散液晶（透過状態可変手段）
７  コントローラ（視野角制御手段、光度制御手段）
８  透明フィルム
９  透明電極
１０  高分子ポリマー
１１  狭視野角化フィルム
１２  視野角切り替えスイッチ（視野角制御手段）
７１  液晶表示処理部
７２  視野角制御処理部（視野角制御手段）
７３  照明制御処理部（光度制御手段）
【図１】
2008046387.tif 000003
【図２】
2008046387.tif 000004
【図３】
2008046387.tif 000005
【図４】
2008046387.tif 000006
【図５】
2008046387.tif 000007
【図６】
2008046387.tif 000008
【図７】
2008046387.tif 000009
【図８】
2008046387.tif 000010
【図９】
2008046387.tif 000011
【図１０】
2008046387.tif 000012
【図１１】
2008046387.tif 000013
【図１２】
2008046387.tif 000014
【図１３】
2008046387.tif 000015
【図１４】
2008046387.tif 000016